(57)【要約】【課題】  ラジアルプランジャポンプにおいて、特定したプランジャの軸方向にて嵩を低くする。【解決手段】  駆動機（電気モータＭ）によって駆動される駆動軸１１を支持するポンプハウジング１３は、駆動軸１１の外周に周方向にて略等間隔に配置されて放射状に延在する複数個のシリンダ１５を有する。各シリンダ１５には駆動軸１１の回転で往復動するプランジャ１７が組付けられている。各プランジャ１７に対応して吸入口１７ａと吸入弁３９及び吐出口１５ａと吐出弁３１が設けられ、吸入口１７ａにポンプハウジング１３の吸入ポート１３ｃから流体が流入可能で、ポンプハウジング１３の吐出ポート１３ｄに吐出口１５ａから吐出室Ｒ２を通して流体が流出可能である。各プランジャ１７の軸心を含む平面から駆動機側にて、アキュムレータ取付孔１３ｅが特定したプランジャ１７の軸心に対しオフセットしてポンプハウジング１３に設けられ、吐出室Ｒ２に連通している。【選択図】  図１
2006144577.tif 000002
【特許請求の範囲】
【請求項１】
駆動軸を回転可能に支持するポンプハウジングは、前記駆動軸の外周に周方向にて略等間隔に配置されて放射状に延在する複数個のシリンダを有していて、これら各シリンダには前記駆動軸の回転によりシリンダ軸方向に往復動するプランジャが組付けられており、これら各プランジャに対応して吸入口と吸入弁が設けられるとともに吐出口と吐出弁が設けられていて、前記各吸入口には前記ポンプハウジングに設けた吸入ポートから吸入通路を通して流体が流入可能であり、前記ポンプハウジングに設けた吐出ポートには前記各吐出口から吐出通路を通して流体が流出可能であり、前記駆動軸が前記ポンプハウジング外の駆動機によって駆動されるようにしたラジアルプランジャポンプにおいて、前記各プランジャの軸心を含む平面から駆動機側にて、アキュムレータを取付けるためのアキュムレータ取付孔が特定したプランジャの軸心に対してオフセットして前記ポンプハウジングに設けられていて、このアキュムレータ取付孔が前記吐出通路に連通していることを特徴とするラジアルプランジャポンプ。
【請求項２】
請求項１に記載したラジアルプランジャポンプにおいて、前記アキュムレータ取付孔は前記特定したプランジャの軸心に対してプランジャ径方向にオフセットしていることを特徴とするラジアルプランジャポンプ。
【請求項３】
請求項１に記載したラジアルプランジャポンプにおいて、前記アキュムレータ取付孔は前記特定したプランジャの軸心に対して前記駆動軸の周方向にオフセットしていることを特徴とするラジアルプランジャポンプ。
【請求項４】
請求項１に記載したラジアルプランジャポンプにおいて、前記アキュムレータ取付孔が連通している前記吐出通路は２つのプランジャの吐出口を連通させる連通路であり、この連通路と前記アキュムレータ取付孔は交差していることを特徴とするラジアルプランジャポンプ。
【請求項５】
請求項２に記載したラジアルプランジャポンプにおいて、前記特定したプランジャに対応して前記ポンプハウジングに組付けられているプラグは、前記アキュムレータのボデーで押えられていて、前記ポンプハウジングからの抜けを規制されていることを特徴とするラジアルプランジャポンプ。
【発明の詳細な説明】
【技術分野】
【０００１】
本発明は、ラジアルプランジャポンプ、特に、駆動軸の外周に周方向にて略等間隔に複数個のプランジャが配置されているラジアルプランジャポンプに関する。
【背景技術】
【０００２】
この種のラジアルプランジャポンプは、例えば、下記特許文献１に示されていて、駆動軸を回転可能に支持するポンプハウジングを備えている。このポンプハウジングは、前記駆動軸の外周に周方向にて略等間隔に配置されて放射状に延在する複数個のシリンダを有していて、これら各シリンダには前記駆動軸の回転によりシリンダ軸方向に往復動するプランジャが組付けられている。
【特許文献１】特開２００２−２４２８２１号公報
【０００３】
上記した公報に示されているラジアルプランジャポンプにおいては、各プランジャに対応して吸入口と吸入弁が設けられるとともに吐出口と吐出弁が設けられていて、各吸入口にはポンプハウジングに設けた吸入ポートから吸入通路を通して流体が流入可能であり、ポンプハウジングに設けた吐出ポートには各吐出口から吐出通路を通して流体が流出可能である。また、駆動軸がポンプハウジング外の駆動機（電気モータ）によって駆動されるように構成されている。
【０００４】
ところで、上記した従来のラジアルプランジャポンプにおいては、ポンプハウジングにアキュムレータを取付けるためのアキュムレータ取付孔が特定したプランジャの軸心に対して同軸的に設けられている。このため、当該ラジアルプランジャポンプでは、特定したプランジャの軸方向にて嵩が高くなって良好な搭載性を確保することができなくなるおそれがある。
【発明の開示】
【０００５】
本発明は、上記した課題を解決するためになされたものであり、駆動軸を回転可能に支持するポンプハウジングは、前記駆動軸の外周に周方向にて略等間隔に配置されて放射状に延在する複数個のシリンダを有していて、これら各シリンダには前記駆動軸の回転によりシリンダ軸方向に往復動するプランジャが組付けられており、これら各プランジャに対応して吸入口と吸入弁が設けられるとともに吐出口と吐出弁が設けられていて、前記各吸入口には前記ポンプハウジングに設けた吸入ポートから吸入通路を通して流体が流入可能であり、前記ポンプハウジングに設けた吐出ポートには前記各吐出口から吐出通路を通して流体が流出可能であり、前記駆動軸が前記ポンプハウジング外の駆動機によって駆動されるようにしたラジアルプランジャポンプにおいて、前記各プランジャの軸心を含む平面から駆動機側にて、アキュムレータを取付けるためのアキュムレータ取付孔が特定したプランジャの軸心に対してオフセットして前記ポンプハウジングに設けられていて、このアキュムレータ取付孔が前記吐出通路に連通していることに特徴がある。
【０００６】
この場合において、前記アキュムレータ取付孔は前記特定したプランジャの軸心に対してプランジャ径方向にオフセットしていることも可能であり、また、前記アキュムレータ取付孔は前記特定したプランジャの軸心に対して前記駆動軸の周方向にオフセットしていることも可能である。
【０００７】
本発明によるラジアルプランジャポンプにおいては、各プランジャの軸心を含む平面から駆動機側にて、アキュムレータを取付けるためのアキュムレータ取付孔が特定したプランジャの軸心に対してオフセットしてポンプハウジングに設けられているため、特定したプランジャの軸方向にて嵩を低くすることが可能であり、良好な搭載性を確保することが可能である。また、アキュムレータ取付孔が、各プランジャの軸心を含む平面から駆動機側にて、ポンプハウジングに設けられるようにしたため、アキュムレータを駆動機に近づけて配置させることが可能であり、駆動機とアキュムレータを含めた当該ラジアルプランジャポンプの駆動軸の軸方向での小型化を図って、全体としての小型化を図ることが可能である。
【０００８】
また、本発明の実施に際して、前記アキュムレータ取付孔が連通している前記吐出通路は２つのプランジャの吐出口を連通させる連通路であり、この連通路と前記アキュムレータ取付孔は交差していることも可能である。この場合には、ポンプハウジングに接続孔を設けることなく、アキュムレータ取付孔と吐出通路を連通接続させることが可能であり、ポンプハウジングへの孔加工を減ずることが可能である。
【０００９】
また、本発明の実施に際して、前記特定したプランジャに対応して前記ポンプハウジングに組付けられているプラグは、前記アキュムレータのボデーで押えられていて、前記ポンプハウジングからの抜けを規制されていることも可能である。この場合には、プラグのポンプハウジングに対する固定をシンプルな構成で達成することが可能である。
【発明を実施するための最良の形態】
【００１０】
以下に、本発明を図面に基づいて説明する。図１〜図３は本発明によるラジアルプランジャポンプの第１実施形態を示していて、この第１実施形態のラジアルプランジャポンプは、駆動機としての電気モータＭの出力軸Ｍａによって回転駆動される駆動軸１１を備えるとともに、この駆動軸１１を回転可能に支持するポンプハウジング１３を備えていて、ポンプハウジング１３には３個のシリンダ１５および３個のプランジャ１７が組付けられている。電気モータＭはポンプハウジング１３の一側外側に組付けられている。
【００１１】
駆動軸１１は、ポンプハウジング１３の軸取付穴１３ａに一対のボール軸受２１，２１とシールリング２３を介して組付けられていて、中間部に偏心軸部１１ａを有している。偏心軸部１１ａは、駆動軸１１の回転に伴って偏心移動するものであり、その外周には、ニードル軸受２５を介して駆動リング２７が回転可能に組付けられている。
【００１２】
ポンプハウジング１３は、図２に示したように、駆動軸１１の偏心軸部１１ａに対応して周方向にて略等間隔に配置されて放射状に延在し内端にて軸取付穴１３ａに連通する複数個のシリンダ取付孔１３ｂを有するとともに、これらのシリンダ取付孔１３ｂに重ならないようにして放射状に延在し内端にて軸取付穴１３ａに連通する吸入ポート１３ｃを有している。
【００１３】
また、ポンプハウジング１３は、図１および図３に示したように、略直交するように形成されて互いに連通する吐出ポート１３ｄとアキュムレータ取付孔１３ｅを有していて、アキュムレータ取付孔１３ｅにはアキュムレータ２９がシールプレート２８を介して液密的に組付けられている。また、ポンプハウジング１３は、各シリンダ取付孔１３ｂの外方側端部を互いに連通接続する２個の連通孔１３ｆを有するとともに、図示上方のシリンダ取付孔１３ｂの外方側端部とアキュムレータ取付孔１３ｅの底部を連通接続する１個の接続孔１３ｇを有している。
【００１４】
各連通孔１３ｆは、シリンダ取付孔１３ｂの外方端部から斜めに孔加工されることにより形成されていて、両端にて各シリンダ取付孔１３ｂの外方側端部に連通している。接続孔１３ｇは、図示上方のシリンダ取付孔１３ｂの外方端部から斜め内方に孔加工されることにより形成されていて、一端にて図示上方のシリンダ取付孔１３ｂの外方側端部に連通し、他端にてアキュムレータ取付孔１３ｅの底部に連通している。
【００１５】
アキュムレータ取付孔１３ｅは、各プランジャ１７の軸心を含む平面（すなわち、図２の紙面）より所定量電気モータＭ側にて、図示上方のシリンダ１５に組付けたプランジャ１７（特定のプランジャ１７）の軸心に対してプランジャ径方向に所定量オフセットしてポンプハウジング１３に設けられている。
【００１６】
各シリンダ１５は、ポンプハウジング１３のシリンダ取付孔１３ｂにシールリング１４を介して液密的かつ移動不能に組付けられていて、駆動軸１１の外周にて放射状に延在しており、プランジャ１７とによりポンプ室Ｒ１を形成している。また、各シリンダ１５には、吐出口１５ａが設けられるとともに、吐出弁３１が設けられていて、ポンプ室Ｒ１から吐出口１５ａと吐出弁３１を通して吐出される流体（作動液）は、ポンプハウジング１３とプラグ３３（図１及び図２参照）によって形成された吐出室Ｒ２またはポンプハウジング１３とキャップ３５（図２参照）によって形成された吐出室Ｒ２に流入するようになっている。
【００１７】
また、各吐出室Ｒ２に流入した流体は、各連通孔１３ｆと接続孔１３ｇからなる吐出通路を通して、アキュムレータ取付孔１３ｅに流入するとともに、このアキュムレータ取付孔１３ｅを通して吐出ポート１３ｄに流入するようになっている。
【００１８】
各プランジャ１７は、シリンダ１５内にシールリング１８を介して液密的かつシリンダ軸方向に移動可能に組付けられていて、シリンダ１５との間に介装したスプリング３７によって駆動軸１１の径内方に向けて付勢されており、内方端にて駆動リング２７の外周に係合している。このため、各プランジャ１７は、駆動軸１１の偏心軸部１１ａとスプリング３７の協働作用により、駆動軸１１の回転に伴ってシリンダ１５内をシリンダ軸方向に往復動し、ポンプ室Ｒ１の容積を増減する。
【００１９】
また、各プランジャ１７には、吸入口１７ａと吸入通路１７ｂが設けられるとともに、吸入弁３９が設けられていて、吸入ポート１３ｃから吸入通路を兼ねる軸取付穴１３ａに流入した流体は、吸入口１７ａと吸入通路１７ｂおよび吸入弁３９を通してポンプ室Ｒ１に吸入されるようになっている。
【００２０】
プラグ３３は、図示上方のシリンダ１５に組付けたプランジャ１７（特定のプランジャ１７）に対応してポンプハウジング１３のシリンダ取付孔１３ｂの外方側端部にシールリング３４を介して液密的かつシリンダ軸方向に移動可能に組付けられている。また、このプラグ３３は、図１に示したように、アキュムレータ２９のボデー２９ａで外方から押えられていて、ポンプハウジング１３からの抜けを規制されている。
【００２１】
各キャップ３５は、図示下方のシリンダ１５に組付けたプランジャ１７に対応してポンプハウジング１３のシリンダ取付孔１３ｂの外方側端部に嵌合された状態にてカシメ固定されることにより、ポンプハウジング１３に液密的かつシリンダ軸方向に移動不能に組付けられている。
【００２２】
上記のように構成した第１実施形態のラジアルプランジャポンプにおいては、電気モータＭの出力軸Ｍａにより駆動軸１１が回転駆動されると、駆動軸１１の偏心軸部１１ａと各スプリング３７の協働作用により、各プランジャ１７が駆動軸１１の回転に伴ってシリンダ１５内をシリンダ軸方向に往復動する。これにより、各ポンプ室Ｒ１の容積が増減し、流体が吸入ポート１３ｃから吸入されてアキュムレータ取付孔１３ｅと吐出ポート１３ｄに吐出される。
【００２３】
ところで、この第１実施形態のラジアルプランジャポンプにおいては、各プランジャ１７の軸心を含む平面（すなわち、図２の紙面）より所定量電気モータＭ側にて、アキュムレータ２８を取付けるためのアキュムレータ取付孔１３ｅが図示上方のシリンダ１５に組付けたプランジャ１７（特定のプランジャ１７）の軸心に対してプランジャ径方向にオフセットしてポンプハウジング１３に設けられている。
【００２４】
このため、図示上方のシリンダ１５に組付けたプランジャ１７（特定のプランジャ１７）の軸方向（図示上下方向）にて当該ラジアルプランジャポンプの嵩を低くすることが可能であり、良好な搭載性を確保することが可能である。また、アキュムレータ取付孔１３ｅが、各プランジャ１３の軸心を含む平面より所定量電気モータＭ側にて、ポンプハウジング１３に設けられるようにしたため、アキュムレータ１３を電気モータＭに近づけて配置させることが可能であり、電気モータＭとアキュムレータ２８を含めた当該ラジアルプランジャポンプの駆動軸１１の軸方向での小型化を図って、全体としての小型化を図ることが可能である。
【００２５】
また、この第１実施形態のラジアルプランジャポンプにおいては、図示上方のシリンダ１５に組付けたプランジャ１７（特定のプランジャ１７）に対応してポンプハウジング１３に組付けられているプラグ３３がアキュムレータ２９のボデー２９ａで押えられていて、ポンプハウジング１３からの抜けを規制されている。このため、キャップ３５のポンプハウジング１３に対する固定に比して、プラグ３３のポンプハウジング１３に対する固定をシンプルな構成で達成することが可能である。
【００２６】
上記第１実施形態においては、図１に示したように、各プランジャ１７の軸心を含む平面（すなわち、図２の紙面）より所定量電気モータＭ側にて、アキュムレータ取付孔１３ｅが図示上方のシリンダ１５に組付けたプランジャ１７（特定のプランジャ１７）の軸心に対してプランジャ径方向にオフセットしてポンプハウジング１３に設けられるようにして実施したが、図４に示した第２実施形態のように、各プランジャ１７の軸心を含む平面にて、アキュムレータ取付孔１３ｅが図示上方のシリンダ１５に組付けたプランジャ１７（特定のプランジャ１７）の軸心に対してプランジャ径方向にオフセットしてポンプハウジング１３に設けられるようにして実施すること、或いは、図５に示した第３実施形態のように、各プランジャ１７の軸心を含む平面にて、アキュムレータ取付孔１３ｅが図示上方のシリンダ１５に組付けた両プランジャ１７（特定のプランジャ１７）の軸心に対して駆動軸１１の周方向にオフセットしてポンプハウジング１３に設けられるようにして実施することも可能である。
【００２７】
図４に示した第２実施形態では、一方の連通孔１３ｆとアキュムレータ取付孔１３ｅを連通接続させる接続孔１３ｇがアキュムレータ取付孔１３ｅと同軸的に設けられている。なお、この第２実施形態のその他の構成は、上記第１実施形態の構成と実質的に同じであるため、同一符号を付してその説明は省略する。また、この第２実施形態の作用効果は、上記第１実施形態の作用効果と実質的に同じであるため、その説明は省略する。
【００２８】
図５に示した第３実施形態では、アキュムレータ取付孔１３ｅが一方の連通孔１３ｆ（図示上方の２つのプランジャ１７の吐出室Ｒ２を連通させる連通路）の中間部に交差して直接連通するように設けられている。このため、この第３実施形態においては、ポンプハウジング１３に接続孔１３ｇを設けることなく、アキュムレータ取付孔１３ｅと連通孔１３ｆ（吐出通路）を連通させることが可能であり、ポンプハウジング１３への孔加工を減ずることが可能である。
【００２９】
なお、図５に示した第３実施形態では、吐出ポート１３ｄが他方の連通孔１３ｆの中間部に交差して直接連通するように設けられている。また、プラグ３３に代えてキャップ３５が採用されている。その他の構成は、上記第１実施形態の構成と実質的に同じであるため、同一符号を付してその説明は省略する。また、この第３実施形態の作用効果は、上記第１実施形態の作用効果（プラグ３３の抜け止めに関する作用効果を除く）と実質的に同じであるため、その説明は省略する。
【００３０】
上記各実施形態においては、プランジャ１７とこれに付随するものが３個であるラジアルプランジャポンプに本発明を実施したが、本発明の実施に際して、プランジャ１７とこれに付随するものの数は、複数であればよく、上記実施形態に限定されるものではない。また、上記各実施形態においては、駆動軸１１が電気モータＭによって回転駆動されるように構成して実施したが、他の駆動機によって駆動軸１１が回転駆動されるように構成して実施することも可能である。
【図面の簡単な説明】
【００３１】
【図１】本発明によるラジアルプランジャポンプの第１実施形態を示す縦断側面図である。
【図２】図１に示したラジアルプランジャポンプにおける各プランジャの軸心を含む平面にて切断した断面図である。
【図３】図１に示したポンプハウジングのアキュムレータ取付孔、吐出ポートの関係を示す断面図である。
【図４】本発明によるラジアルプランジャポンプの第２実施形態を示す図２相当の断面図である。
【図５】本発明によるラジアルプランジャポンプの第３実施形態を示す図２相当の断面図である。
【符号の説明】
【００３２】
１１…駆動軸、１１ａ…偏心軸部、１３…ポンプハウジング、１３ａ…軸取付穴、１３ｂ…シリンダ取付孔、１３ｃ…吸入ポート、１３ｄ…吐出ポート、１３ｅ…アキュムレータ取付孔、１３ｆ…連通孔、１３ｇ…接続孔、１５…シリンダ、１５ａ…吐出口、１７…プランジャ、１７ａ…吸入口、２９…アキュムレータ、２９ａ…アキュムレータのボデー、３１…吐出弁、３３…プラグ、３５…キャップ、３７…スプリング、３９…吸入弁、Ｒ１…ポンプ室、Ｒ２…吐出室、Ｍ…電気モータ（駆動機）
【図１】
2006144577.tif 000003
【図２】
2006144577.tif 000004
【図３】
2006144577.tif 000005
【図４】
2006144577.tif 000006
【図５】
2006144577.tif 000007